(57)【要約】【課題】前方へ向ける表面片及び当該表面片を立てる支持片が形成された１枚のブランクからなる紙スタンドにおいて、表面片に抜き孔を作ることなく、支持片で表面片を立てる。【解決手段】支持片２０は、表面片１０の左右片方の側辺１１から表面片１０の裏側に折り返す裏重ね部２１と、裏重ね部２１から折り起こす脚部２２と、脚部２２から裏重ね部２１の方へ折り倒す掛け部２３とを有する。裏重ね部２１及び表面片１０の裏側間に接着域３１と、非接着域３２とを設ける。裏重ね部２１及び表面片１０の裏側の合わせ目３３は、非接着域３２に連通する。掛け部２３は、合わせ目３３から非接着域３２に差し込む舌片域２３ａを含む。これにより、掛け部２３で脚部２２の倒伏を防止した。【選択図】図５
2016018065.tif 000002
【特許請求の範囲】
【請求項１】
前方へ向ける表面片（１０）及び当該表面片（１０）を立てる支持片（２０）が形成された１枚のブランク（１）からなる紙スタンドにおいて、
前記支持片（２０）は、前記表面片（１０）の左右片方の側辺（１１）から当該表面片（１０）の裏側に折り返す裏重ね部（２１）と、前記裏重ね部（２１）から折り起こす脚部（２２）と、前記脚部（２２）から前記裏重ね部（２１）の方へ折り倒す掛け部（２３）と、を有しており、
前記裏重ね部（２１）及び前記表面片（１０）の裏側間に、当該裏重ね部（２１）を当該表面片（１０）の裏側に固定する接着域（３１）と、当該裏重ね部（２１）及び当該表面片（１０）の裏側の合わせ目（３３，３４）に連通する非接着域（３２）とが、設けられており、
前記掛け部（２３）は、前記合わせ目（３３，３４）から前記非接着域（３２）に差し込む舌片域（２３ａ）を含んでいることを特徴とする紙スタンド。
【請求項２】
前記掛け部（２３）は、当該掛け部（２３）を前記脚部（２２）から折り倒す方向と逆向きで前記舌片域（２３ａ）を前記非接着域（３２）に差し込むようになっている請求項１に記載の紙スタンド。
【発明の詳細な説明】
【技術分野】
【０００１】
この発明は、一枚のブランクからなる自立式の紙スタンドに関する。
【背景技術】
【０００２】
この種の紙スタンドとして、従来、前方へ向ける表面片と、表面片を立てる支持片とが一枚紙に形成されたブランクから組立てて、自立可能な使用状態にするものがある。特許文献１に開示された紙スタンドは、支持片を所定に折り曲げて表面片に引っ掛けることにより、支持片によって表面片を水平面上に立てることができるようになっている。このような紙スタンドは、表面片に商品、写真、卓上カレンダー等の展示品を取り付けて、注目を集め易い自立展示体を構成することに利用されている。
【先行技術文献】
【特許文献】
【０００３】
【特許文献１】特開２００５−１１０７４２号公報
【発明の概要】
【発明が解決しようとする課題】
【０００４】
しかしながら、特許文献１のものは、表面片の周囲よりも内側に半囲みの切れ目枠を形成し、切れ目枠の内側を支持片としたブランクになっている。このため、支持片を表面片から裏側へ折り倒し、その支持片で表面片を立てた状態にすると、その折り倒しに伴う抜き孔が、前方から大きく見える位置に生じてしまう。表面片に取り付ける商品等の展示品で抜き孔を隠せる場合はよいが、隠せない場合、展示の見映えが悪くなってしまう。また、抜き孔があるため、表面片に展示品を取り付ける方法に制限が生じる可能性もある。
【０００５】
そこで、この発明が解決しようとする課題は、前方へ向ける表面片及び当該表面片を立てる支持片が形成された１枚のブランクからなる紙スタンドにおいて、表面片に抜き孔を作ることなく、支持片で表面片を立てることにある。
【課題を解決するための手段】
【０００６】
上記の課題を解決するため、この発明は、前方へ向ける表面片及び当該表面片を立てる支持片とが形成された１枚のブランクからなる紙スタンドにおいて、前記支持片は、前記表面片の左右片方の側辺から当該表面片の裏側に折り返す裏重ね部と、前記裏重ね部から折り起こす脚部と、前記脚部から前記裏重ね部の方へ折り倒す掛け部と、を有しており、前記裏重ね部及び前記表面片の裏側間に、当該裏重ね部を当該表面片の裏側に固定する接着域と、当該裏重ね部及び当該表面片の裏側の合わせ目に連通する非接着域とが、設けられており、前記掛け部は、前記合わせ目から前記非接着域に差し込む舌片域を含んでいる構成を採用した。
【０００７】
表面片の左右片方の側辺から支持片の裏重ね部を表面片の裏側に折り返すようにすれば、その裏重ね部を表面片の裏側に部分的に接着して固定すると共に、この際、裏重ね部及び表面片の裏側間の合わせ目に連通する非接着域を設けることができる。裏重ね部から支持片の脚部を折り起こすようにすれば、表面片から支持片を抜かずとも、表面片を立てるのに必要な脚部の向き及び接地長さを実現することができる。脚部から支持片の掛け部を裏重ね部の方へ折り倒し、掛け部の舌片域を裏重ね部及び表面片の裏側の合わせ目から非接着域に差し込むようにすれば、脚部が裏重ね部の方へ倒伏しようとしたとき、表面片に支えられた掛け部が当該倒伏動に抵抗し、一方、脚部が裏重ね部から遠ざかる方へ倒伏しようとしたとき、舌片域が裏重ね部に引っ掛って当該倒伏動に抵抗する。このように、折り起こした脚部の倒伏が掛け部によって防止されるので、脚部によって表面片を立てることができる。
【０００８】
好ましくは、前記掛け部は、当該掛け部を前記脚部から折り倒す方向と逆向きで前記舌片域を前記非接着域に差し込むようになっているとよい。このようにすると、折り倒した掛け部を当該折り倒し前の状態に戻そうとする素材の自然復元力は、舌片域を非接着域に差し込む方向に作用する。したがって、舌片域の非接着域からの抜け出しを確実に防ぐことができる。
【発明の効果】
【０００９】
この発明は、上記構成の採用により、前方へ向ける表面片及び当該表面片を立てる支持片が形成された１枚のブランクからなる紙スタンドにおいて、表面片に抜き孔を作ることなく、支持片で表面片を立てることができる。
【図面の簡単な説明】
【００１０】
【図１】この発明の第１実施形態に係る紙スタンドの展開図
【図２】第１実施形態の紙スタンドを用いた展示状態を示す側面図
【図３】第１実施形態の裏重ね部と表面片の接着域を示す横断面図
【図４】第１実施形態の脚部を折り起こした状態を示す斜視図
【図５】第１実施形態の完成状態を後方側から示す斜視図
【図６】この発明の第２実施形態に係る紙スタンドの展開図
【図７】第２実施形態の裏重ね部と表面片の接着域を示す横断面図
【図８】第２実施形態の脚部を折り起こした状態を示す斜視図
【図９】第２実施形態の掛け部を折り倒してフラップ域を折り起こした状態を示す斜視図
【図１０】第２実施形態の完成状態を後方側から示す斜視図
【発明を実施するための形態】
【００１１】
この発明の一例として、第１実施形態に係る紙スタンドを添付図面の図１〜図５に基づいて説明する。この紙スタンドは、図１に展開図を示した１枚のブランク１からなる。ブランク１には、前方へ向ける表面片１０と、表面片１０を立てる支持片２０とが形成されている。図２に示すように、表面片１０は、展示品Ａを取り付ける紙領域になっている。展示品Ａは、例えば、シュリンク包装された容器であり、接着によって表面片１０に取り付けられる。支持片２０は、水平面上において、表面片１０を裏側から支え、表面片１０を浅く後傾した状態に立てる紙領域になっている。なお、ブランク１の素材は、各種板紙、段ボール等、適宜の種類の紙を採用すればよい。
【００１２】
図示の表面片１０は、略矩形状の紙領域になっている。表面片１０の左右片方の側辺１１は、表面片１０の左右片方の縁になり、もう一方の側辺１２は、残り片方の縁になる。側辺１１、側辺１２の辺長さの大部分を占める辺中央部は、上下方向に沿っている。また、表面片１０の下辺１３は、表面片１０を接地させる縁となる。下辺１３の辺長さの大部分を占める辺中央部は、左右方向に沿っている。このため、下辺１３を水平面に置いて表面片１０を立てると、表面片１０は左右に傾かない。表面片１０の上辺付近には、貫通孔１４が形成されている。貫通孔１４を陳列棚等のフックに通すと、展示品Ａが取り付けられた表面片１０を吊り下げることができる。
【００１３】
支持片２０は、図３に示すように、表面片１０の左右片方の側辺１１から裏側に折り返す裏重ね部２１を有する。また、支持片２０は、図４に示すように、裏重ね部２１から折り起こす脚部２２を有する。また、支持片２０は、図５に示すように、脚部２２から折り倒す掛け部２３を有する。支持片２０は、裏重ね部２１と、脚部２２と、掛け部２３とで構成されている。
【００１４】
図１、図３、図４に示すように、裏重ね部２１は、表面片１０の側辺１１に連なった略矩形状の紙領域になっている。側辺１１のうち、裏重ね部２１を折り返す際に折目とする部分には、その折り返しを容易にするための折り罫線が形成されている。
【００１５】
裏重ね部２１の左右片方の側辺２１ａは、表面片１０の側辺１１に並行している。脚部２２は、側辺２１ａに連なっている。側辺２１ａには、脚部２２を側辺２１ａから折り起こすことを容易にするための折り罫線が形成されている。
【００１６】
裏重ね部２１の上辺２１ｂは、裏重ね部２１の上縁になり、下辺２１ｃは、裏重ね部２１の下縁になる。上辺２１ｂは、辺長さの全長に亘って左右方向に沿っている。下辺２１ｃは、側辺２１ａの下端から側辺１１の近傍まで左右方向に沿っており、表面片１０の下辺１３に重なる。
【００１７】
側辺１１から折り返した裏重ね部２１及び表面片１０の裏側間に、接着域３１（図３中に黒塗りで示す。）と、非接着域３２とが設けられている。接着域３１は、裏重ね部２１を表面片１０の裏側に固定する。接着域３１は、側辺２１ａの近傍を通る上下方向の帯状に存在している。このため、非接着域３２は、裏重ね部２１の上辺２１ｂと、表面片１０の裏側との間の合わせ目３３から下方に連通している。
【００１８】
支持片２０の上下方向長さ及び左右幅は、表面片１０の上下方向長さ及び左右幅よりも短く、上述のように裏重ね部２０が表面片１０の裏側に固定されているので、支持片２０の全体が表面片１０の裏側に隠れる。
【００１９】
脚部２２は、裏重ね部２１の側辺２１ａに連なった略台形状の紙領域になっている。脚部２２を側辺２１ａから直角に折り起こすと、脚部２２は、表面片１０かつ下辺１３の左右幅中央上に位置した状態になる。これは、１か所に限った脚部２２により、表面片１０を水平面に対して左右均等に支えるためである。なお、脚部２２の下辺２２ａは、表面片１０の下辺１３に対して傾斜している。この傾斜は、表面片１０を水平面に対して後傾した姿勢で立てるようにするためのものである。この傾斜をなくして、表面片１０を鉛直に立てる紙スタンドにすることも可能である。
【００２０】
図１、図４、図５に示すように、掛け部２３は、脚部２２の上辺２２ｂから裏重ね部２１の方へ折り倒す紙領域になっている。上辺２２ｂには、その折り倒しを容易にするため、折り罫線が形成されている。
【００２１】
掛け部２３は、合わせ目３３から非接着域３２に差し込む舌片域２３ａを含んでいる。掛け部２３を脚部２２から折り起こした状態のとき、掛け部２３のうち、裏重ね部２１の側辺２１ａを上方に延長した仮想線上に位置するところに、舌片域２３ａを区画する折り罫線２３ｂが形成されている。脚部２２を側辺２１ａから折り起こす際、舌片域２３ａが折り罫線２３ｂから折れて、表面片１０の裏側に概ね沿った状態になる。このため、舌片域２３ａが脚部２２の折り起こしを困難にする原因とならず、掛け部２３を脚部２２の上辺２２ｂから折り倒すと、舌片域２３ａを合わせ目３３から非接着域３２へスムーズに差し込むことが可能である。
【００２２】
上辺２２ｂから折り倒した掛け部２３を当該折り倒し前の状態に戻そうとする素材の自然復元力は、上辺２２ｂに折り罫線が形成されているため、小さくなる。掛け部２３を折り倒した状態に固定する手段を追加せずとも、舌片域２３ａは、非接着域３２に差し込んだ状態に保たれる。
【００２３】
第１実施形態の紙スタンドは上述のようなものであり、脚部２２が、裏重ね部２１の方へ倒伏しようとしたとき、折り倒した掛け部２３が、表面片１０の裏側に直接に支えられるので、その倒伏動に抵抗する。また、脚部２２が裏重ね部１０から遠ざかる方へ倒伏しようとしたとき、非接着域３２に差し込んだ舌片域２３ａが裏重ね部２１に引っ掛るので、その倒伏動に抵抗する。このように、折り起こした脚部２２の倒伏が掛け部２３によって防止されるので、脚部２２によって表面片１０を水平面上に立てることができる。したがって、第１実施形態によれば、前方へ向ける表面片１０及び表面片１０を立てる支持片２０が形成された１枚のブランク１からなる紙スタンドを作ることができながら、表面片１０に抜き孔を作ることなく、支持片２０で表面片１０を立てることができる。
【００２４】
この発明の第２実施形態を図６〜図１０に基づいて説明する。以下、第１実施形態との相違点を述べるに留める。図６〜図８に示すように、第２実施形態のブランク１には、裏重ね部２１の周囲より内側の箇所に切れ目２４が形成されている。切れ目２４は、左右方向に沿った長い楕円状の孔になっている。切れ目２４を切り抜いた縁２１ｄは、裏重ね部２１に存在し、その縁２１ｄと表面片１０の裏側との間に合わせ目３４が生じている。合わせ目３４は、非接着域３２に連通している。
【００２５】
掛け部２３は、折り罫線２３ｂに連なるフラップ域２３ｃを有する。フラップ域２３ｃと表面片１０の側辺１１との間は、切れ目３５で分かれている。フラップ域２３ｃと裏重ね部２１との間は、切れ目２５で分かれている。フラップ域２３ｃには、折り罫線２３ｂに並行する折り罫線２３ｄが形成されている。このため、フラップ域２３ｃは、図９に示すように、脚部２２から折り倒した状態で折り罫線２３ｄからフラップ域２３ｃを中折りし、起こしたフラップ域２３ｃの先端側を摘みとして利用することができる。
【００２６】
図６、図９に示すように、舌片域２３ａは、フラップ域２３ｃの周囲より内側に形成された半囲い状の切れ目枠２３ｅによって区画されている。切れ目枠２３ｅは、折り罫線２３ｄから折り罫線２３ｂ側に形成されている。このため、舌片域２３ａは、折り罫線２３ｄから中折りするフラップ域２３ｃの先端側のみと連なっている。折り罫線２３ｄからフラップ域２３ｃの先端側を折り起こすことにより、図９に示すように、舌片域２３ａを切れ目２４の方へ向け、切れ目２４から表面片１０の裏側に接するまで差し込むことができる。その後、図１０に示すように、フラップ域２３ｃの先端側を元の方へ倒伏させることにより、舌片域２３ａを下方から上方に向かって図７に示す合わせ目３４に差し込むことができる。切れ目２４の左右幅は、舌片域２３ａの左右幅に相当しており、差し込んだ舌片域２３ａは、左右に殆ど動くことができない。
【００２７】
第２実施形態は上述のようなものであり、掛け部２３を脚部２２から裏重ね部２１の方へ折り倒す方向は、裏重ね部２１に対して上方から下方に向かう方向となる。一方、舌片域２３ａを合わせ目３４から非接着域３２に差し込む方向は、裏重ね部２１の縁２１ｄに対して下方から上方に向かう方向となる。このように、第２実施形態は、掛け部２３を脚部２２から折り倒す方向と逆向きで舌片域２３ａを非接着域３２に差し込むようになっている。このため、折り倒した掛け部２３を当該折り倒し前の状態に戻そうとする素材の自然復元力は、舌片域２３ａを非接着域３２に差し込む方向に作用する。したがって、第２実施形態の掛け部２３は、舌片域２３ａの非接着域３２からの抜け出しを確実に防ぎ、第１実施形態よりも強固に脚部２２の倒伏を防止することができる。
【００２８】
上述の各実施形態では、脚部を１か所に限ったが、表面片の左右両辺にそれぞれ支持片を連ね、２か所の脚部で表面片を立てるようにしてもよい。また、脚部の周囲よりも内側に半囲みの切れ目枠で区画した掛け部を形成してもよい。また、掛け部を下方から上方へ折り倒し、舌片域を非接着域に上方から下方へ差し込むようにしてもよい。このように、この発明の技術的範囲は、上述の各実施形態に限定されず、特許請求の範囲の記載に基づく技術的思想の範囲内での全ての変更を含むものである。
【符号の説明】
【００２９】
１  ブランク
１０  表面片
１１  側辺
２０  支持片
２１  裏重ね部
２１ａ  側辺
２１ｄ  縁
２２  脚部
２３  掛け部
２３ａ  舌片域
２３ｂ、２３ｄ  折り罫線
２３ｃ  フラップ域
２４  切れ目
３１  接着域
３２  非接着域
３３、３４  合わせ目
【図１】
2016018065.tif 000003
【図２】
2016018065.tif 000004
【図３】
2016018065.tif 000005
【図４】
2016018065.tif 000006
【図５】
2016018065.tif 000007
【図６】
2016018065.tif 000008
【図７】
2016018065.tif 000009
【図８】
2016018065.tif 000010
【図９】
2016018065.tif 000011
【図１０】
2016018065.tif 000012